(57)【要約】【課題】  ＦＭ放送等を受信する際に、パルスノイズ除去のため、補間部での補間処理後の信号に生じる高調波歪みを抑圧し、音質を改善させたパルスノイズキャンセル装置を実現する。【解決手段】  パルスノイズキャンセル装置１００は、入力信号のノイズ発生期間をパルスノイズ検出部１０１で検出し、検出されたパルスノイズ期間の入力信号に含まれるパルスノイズを補間部１０２で補間することによりパルスノイズを除去し、パルスノイズ検出部１０１で検出されるパルスノイズの間隔をパルスノイズ周期計測部１０３で計測し、パルスノイズ周期から補間部１０２の出力に含まれる高調波歪み周波数を歪み周波数推定部１０４で推定し、推定された高調波歪み成分を歪み抑圧部１０５で抑圧して出力することにより歪みの少ない音質を向上させる。【選択図】  図１
2006319815.tif 000002
【特許請求の範囲】
【請求項１】
入力信号に含まれるパルスノイズを抑制するパルスノイズキャンセル装置であって、
前記入力信号のノイズ発生期間を検出するパルスノイズ検出手段と、
前記パルスノイズ検出手段で検出されたノイズ発生期間の前記入力信号に含まれるパルスノイズを補間することにより除去する補間手段と、
前記パルスノイズ検出手段で検出されるパルスノイズの間隔であるパルスノイズ周期を計測するパルスノイズ周期計測手段と、
前記パルスノイズ周期計測手段で計測したパルスノイズ周期に起因する歪み成分を推定する歪み周波数推定手段と、
前記補間手段の出力信号に含まれ、前記歪み周波数推定手段で推定した歪み成分を抑圧して出力する歪み抑圧手段とを備える
ことを特徴とするパルスノイズキャンセル装置。
【請求項２】
前記歪み抑圧手段は、前記補間手段からの出力信号を複数の帯域に分割する帯域フィルタ部と、
前記帯域フィルタ部で分割された各帯域の信号の利得を、前記歪み周波数推定手段の推定に基づき制御する利得制御部と、
前記利得制御部で利得制御された前記帯域フィルタ部からの出力信号を加算する加算部とを備える
ことを特徴とする請求項１記載のパルスノイズキャンセル装置。
【請求項３】
前記歪み抑圧手段は、時間領域の入力信号を周波数領域に変換する時間―周波数変換部と、
前記時間―周波数変換部で周波数領域に変換されたデータに対して、前記歪み周波数推定手段の推定に基づき制御する利得制御部と、
前記利得制御部で利得制御された周波数領域データを時間領域に変換する周波数―時間変換部とを備える
ことを特徴とする請求項１記載のパルスノイズキャンセル装置。
【請求項４】
前記歪み抑圧手段は、さらに、
前記時間―周波数変換部で変換した周波数データからピーク周波数を検出するピーク周波数検出部と、
前記ピーク周波数検出部で検出されたピーク周波数と歪み周波数推定手段で検出された歪み周波数とに基づき、混変調歪み周波数を推定する混変調歪み周波数推定部とを備え、
前記利得制御部は、前記歪み周波数推定手段で推定した歪み周波数と前記混変調歪み周波数推定部で推定した混変調歪み周波数とに基づき、制御すべき周波数を決定し周波数領域データを利得制御し、
前記周波数―時間変換部は、前記利得制御部で利得制御された周波数領域データを時間領域に変換する
ことを特徴とする請求項３記載のパルスノイズキャンセル装置。
【請求項５】
前記パルスノイズキャンセル装置は、さらに、
前記補間手段の出力を復調する復調手段を備え、
前記歪み抑圧手段は、前記復調手段の出力信号に含まれ、前記歪み周波数推定手段で推定した歪み成分を抑圧して出力する
ことを特徴とする請求項１記載のパルスノイズキャンセル装置。
【請求項６】
前記パルスノイズキャンセル装置は、さらに、
前記入力信号を復調する復調手段を備え、
前記補間手段は、前記復調手段からの出力信号を前記パルスノイズ検出手段で検出されたノイズ発生期間の前記入力信号のパルスノイズを除去するように補間する
ことを特徴とする請求項１記載のパルスノイズキャンセル装置。
【請求項７】
前記復調手段は、ＡＭ復調を行う振幅復調手段、又はＦＭ復調を行う周波数復調手段である
ことを特徴とする請求項５又は６記載のパルスノイズキャンセル装置。
【請求項８】
前記復調手段は、ＦＭ復調を行う周波数復調部と、当該周波数復調部からの出力信号であるコンポジット信号からステレオ信号を再生するコンポジット処理部とを備える
ことを特徴とする請求項５又は６記載のパルスノイズキャンセル装置。
【請求項９】
前記復調手段は、ＦＭ復調されたコンポジット信号からステレオ信号を再生するコンポジット処理部である
ことを特徴とする請求項５又は６記載のパルスノイズキャンセル装置。
【請求項１０】
入力信号に含まれるパルスノイズを抑制するパルスノイズキャンセル装置に用いるパルスノイズキャンセル方法であって、
前記入力信号のノイズ発生期間を検出するパルスノイズ検出ステップと、
前記パルスノイズ検出ステップにおいて検出されたノイズ発生期間の前記入力信号に含まれるパルスノイズを補間することにより除去する補間ステップと、
前記パルスノイズ検出ステップにおいて検出されるパルスノイズの間隔であるパルスノイズ周期を計測するパルスノイズ周期計測ステップと、
前記パルスノイズ周期計測ステップにおいて計測したパルスノイズ周期に起因する歪み成分を推定する歪み周波数推定ステップと、
前記補間ステップにおける出力信号に含まれ、前記歪み周波数推定ステップにおいて推定した歪み成分を抑圧して出力する歪み抑圧ステップとを含む
ことを特徴とするパルスノイズキャンセル方法。
【請求項１１】
コンピュータに請求項１０記載のパルスノイズキャンセル方法の機能を実現させるためのプログラム。
【発明の詳細な説明】
【技術分野】
【０００１】
本発明は、ラジオ受信機において発生するパルスノイズを除去するためのパルスノイズキャンセル装置に関し、特に、カーラジオ等において用いるパルスノイズキャンセル装置に関する。
【背景技術】
【０００２】
従来、車内に使用されるラジオ受信機においては、車のエンジンから発生するイグニッションノイズ等のパルス性ノイズがラジオ受信機に混入し受信時の音質を劣化させるという問題がある。
【０００３】
そして、このようなラジオ受信時において発生するパルス性ノイズを除去し、視聴中の番組や音楽の音質を改善するノイズキャンセル装置が提案されている（例えば、特許文献１参照）。以下、従来のパルスノイズキャンセル装置の例を図面を参照して説明する。
【０００４】
図９は従来のＦＭ受信機におけるパルスノイズキャンセル装置の機能ブロック図であり、このノイズキャンセル装置９００は、中間周波信号を入力としてパルスノイズキャンセル処理を行い、パルスノイズ検出部９０１と、中間周波信号を振幅復調する検波部９０２と、サンプルホールド部９０３と、可変低域フィルタ９０４とを備える。
【０００５】
パルスノイズ検出部９０１は、中間周波信号の高域成分をハイパスフィルタで抽出し、ハイパスフィルタ出力の信号レベルに応じてパルスノイズを検出する。中間周波信号は検波部９０２でＡＭ復調される。
【０００６】
そして、パルスノイズ検出部９０１でノイズが検出されると、サンプルホールド部９０３は検波出力信号をホールドすると同時に、可変低域フィルタ部９０４のカットオフ周波数が低くなり、高域成分を除去する。
【０００７】
ノイズ検出部９０１でノイズが検出されていない期間は、可変低域フィルタ部９０４のカットオフ周波数は、高く設定されている。
【特許文献１】特開２０００−１０１４６２号公報
【発明の開示】
【発明が解決しようとする課題】
【０００８】
しかしながら、上記従来のノイズキャンセル装置の技術では、パルスノイズ発生期間の手段分を除去し、除去したノイズ発生期間をノイズ発生直前のサンプル値で補間するため、パルスノイズにより壊された信号を正確に復元することは非常に困難である。
【０００９】
また、エンジンの点火ノイズにより発生するパルスノイズはエンジンの回転数に比例する。１秒程度の短時間でみるとエンジンの回転数がほぼ一定の場合が多く、一定周期でパルスノイズが発生する。そのためパルスノイズ期間を直前の信号値でホールドしたり直線補間したりすると、パルスノイズ周期が１ミリ秒の場合、１ミリ秒の逆数に対応する１ｋＨｚの高調波、即ち１ｋＨｚ、２ｋＨｚ、３ｋＨｚ等の１ｋＨｚの高調波に当たる歪み成分が発生したり、再生音のピーク周波数とパルスノイズを補間することにより発生する高調波歪みによる混変調歪みが発生し、可変低域フィルタではこれらの歪みの一部しか除去できず、低減音質が劣化するという問題が生じている。
【００１０】
本発明は上記課題に鑑みてなされたものであり、カーラジオ等において、パルスノイズを補間して抑圧する方式を用いる場合においても、発生するパルスノイズ周期に起因する歪みを抑圧し、音質の劣化を抑制することができるパルスノイズキャンセル装置を提供することを目的とする。
【課題を解決するための手段】
【００１１】
上記の点に鑑み、本発明に係るパルスノイズキャンセル装置は、入力信号に含まれるパルスノイズを抑制するパルスノイズキャンセル装置であって、前記入力信号のノイズ発生期間を検出するパルスノイズ検出手段と、前記パルスノイズ検出手段で検出されたノイズ発生期間の前記入力信号に含まれるパルスノイズを補間することにより除去する補間手段と、前記パルスノイズ検出手段で検出されるパルスノイズの間隔であるパルスノイズ周期を計測するパルスノイズ周期計測手段と、前記パルスノイズ周期計測手段で計測したパルスノイズ周期に起因する歪み成分を推定する歪み周波数推定手段と、前記補間手段の出力信号に含まれ、前記歪み周波数推定手段で推定した歪み成分を抑圧して出力する歪み抑圧手段とを備えることを特徴とする。
【００１２】
この構成により、補間手段においてパルスノイズを補間する際に発生する歪みを低減し、パルスノイズ発生時の音質を改善することが可能となる。
【００１３】
また、本発明に係るパルスノイズキャンセル装置の歪み抑圧手段は、さらに、前記時間―周波数変換部で変換した周波数データからピーク周波数を検出するピーク周波数検出部と、前記ピーク周波数検出部で検出されたピーク周波数と歪み周波数推定手段で検出された歪み周波数とに基づき、混変調歪み周波数を推定する混変調歪み周波数推定部とを備え、前記利得制御部は、前記歪み周波数推定手段で推定した歪み周波数と前記混変調歪み周波数推定部で推定した混変調歪み周波数とに基づき、制御すべき周波数を決定し周波数領域データを利得制御し、前記周波数―時間変換部は、前記利得制御部で利得制御された周波数領域データを時間領域に変換することを特徴とする。
【００１４】
この構成により、混変調歪み周波数推定部は、補間手段からの出力信号のピーク周波数とパルスノイズ周期に基づく高調波周波数との和周波数、差周波数を混変調歪み周波数として推定し、利得制御部は、高調波歪み周波数成分と推定された混変調歪み周波数成分とに基づいて周波数データを抑圧することにより、音質を改善することが可能となる。
【００１５】
尚、前記目的を達成するために、本発明は、パルスノイズキャンセル装置の特徴的な手段をステップとするパルスノイズキャンセル方法として実現したり、コンピュータに各ステップを実行させるためのプログラムとして実現することもできる。そのようなプログラムは、ＣＤ−ＲＯＭ等の記録媒体やインターネット等の伝送媒体を通じて配信することができるのは言うまでもない。
【発明の効果】
【００１６】
本発明のパルスノイズキャンセル装置は、パルスノイズを補間することにより発生する高調波歪み、混変調歪みをパルスノイズ周期に基づいて推定し、推定した歪みを抑圧して音の歪みを低減し音質を改善することができる。
【発明を実施するための最良の形態】
【００１７】
以下、本発明に係るパルスノイズキャンセル装置の各実施の形態について、図面を参照しながら説明する。
【００１８】
（実施の形態１）
図１は、本発明の実施の形態１におけるパルスノイズキャンセル装置１００の構成を示すブロック図である。尚、本実施の形態１に係るパルスノイズキャンセル装置１００は、パルスノイズの間隔であるパルスノイズ周期を計測して、このパルスノイズ周期に起因する高調波歪み成分を推定して、推定された高調波歪み成分を抑圧することを特徴とする。
【００１９】
パルスノイズキャンセル装置１００は、本実施の形態１においてはＦＭ受信機のＦＭ復調されたステレオオーディオ信号を入力としたパルスノイズを除去するための装置であり、ステレオ２チャンネルの各チャンネルにパルスノイズキャンセル装置が適用される。ここでは説明を簡単にするため1チャンネル分のパルスノイズキャンセル装置について説明する。パルスノイズキャンセル装置１００は、パルスノイズ検出部１０１、補間部１０２、パルスノイズ周期検出部１０３、歪み周波数推定部１０４、及び歪み抑圧部１０５を備えている。
【００２０】
パルスノイズ検出部１０１は、従来例と同じようにオーディオ信号を入力として入力信号の高域成分を高域通過フィルタで抽出しパルスノイズ発生期間を検出する。
【００２１】
補間部１０２は、パルスノイズ検出部１０１がパルスノイズを検出した期間の信号をパルスノイズ直前、直後の信号から直線補間でパルスノイズ期間の信号を補間する。
【００２２】
パルスノイズ周期検出部１０３は、パルスノイズ検出部１０１でパルスノイズが検出される周期を計測する。
【００２３】
歪み周波数推定部１０４は、パルスノイズ周期検出部１０３で検出されたパルスノイズ周期の短時間平均値の逆数から補間部１０２の出力信号に含まれる歪み周波数を推定する。
【００２４】
歪み抑圧部１０６は、歪み周波数推定部１０４で推定した歪み周波数に従い、補間部１０２のオーディオ出力信号から歪み周波数成分を抑圧する。尚、この歪み抑圧部１０６の構成については後述の図３を用いて説明を行う。
【００２５】
図２は、４ｋＨｚの正弦波である場合の信号をＦＭ変調した信号に１ｍｓ周期のパルスノイズが混入した信号をＦＭ復調してオーディオ信号とする際の補間部１０２の（ａ）入力スペクトル２０１、（ｂ）出力スペクトル２０２、及び（ｃ）歪み抑圧部１０５の出力スペクトル２０３を示している。
【００２６】
補間部１０２の入力スペクトル２０１は、パルスノイズが除去される前であり、パルスノイズにより全周波数のノイズレベルが高くなる。
【００２７】
次に、補間部１０２の出力スペクトル２０２は、補間部１０２でパルスノイズが補間されることにより全体のノイズレベルは低下するが、補間部１０２で１ｍｓ周期のパルスノイズを補間することによりパルスノイズ周期に対応した１ｋＨｚ毎の高調波歪みが増加する。
【００２８】
パルスノイズ周期検出部１０３で１ｍｓのパルスノイズ周期を検出し、検出されたパルスノイズ周期を基に歪み周波数推定部１０４で、１ｍｓに対応する１ｋＨｚとその高調波の周波数を歪み周波数として推定する。
【００２９】
図３は、歪み抑圧部１０５の詳細を示すブロック図で、この歪み抑圧部１０５は、フィルタバンク部１０５１、利得調整部１０５２、及び加算部１０５３を備える。
【００３０】
最初に、入力信号がフィルタバンク部１０５１により複数の帯域に分割され、利得制御部１０５２ではフィルタバンク部１０５１で分割された帯域毎の利得を歪み周波数推定部１０４で推定した歪み成分周波数に基づき制御する。例えば、１６ｋＨｚの帯域を通過させるフィルタバンク部１０５１を４０個の帯域通過フィルタで構成すると、各々の帯域通過フィルタは４００Ｈｚの通過域を持つ。１ｋＨｚとその高調波を通過させる帯域フィルタの出力を２０ｄＢ減衰させることにより、図２（ｃ）に示す歪み抑圧部１０５の出力スペクトル２０３のように高調波歪みを低減することができる。これらの帯域以外は減衰されることなく通過する。
【００３１】
そして、加算部１０５３は、利得制御部１０５２の各帯域成分を加算することにより出力信号を合成して出力することにより、補間部１０２の出力信号に含まれる歪み成分を抑圧する。
【００３２】
以上のように、本実施の形態１に係るパルスノイズキャンセル装置１００の歪み周波数推定部１０４は、パルスノイズ周期検出部１０３で検出したパルスノイズ周期に基づいて、補間部１０２で補間処理後の信号に含まれる高調波歪みを推定する。そして、歪み抑圧部１０５は、推定した高調波歪み周波数に対応した帯域の信号を抑圧する。このため、パルスノイズ除去のための補間部１０２を備えるパルスノイズキャンセル装置１００において、補間部１０２での補間処理後の信号に発生する高調波歪みを抑圧し、音質を改善することが可能となる。
【００３３】
（実施の形態２）
次に、本発明に係るパルスノイズキャンセル装置の第二の実施の形態について図面を参照しながら説明を行う。尚、本実施の形態２に係るパルスノイズキャンセル装置は、ディスクリートフーリエ変換を用いることを特徴とする。また、本実施の形態２のパルスノイズキャンセル装置の構成は、実施の形態１と同様であるために、その説明を省略する。
【００３４】
図４は、本実施の形態２に係る歪み抑圧部１０５を時間−周波数変換部１０５４を用いて構成した機能ブロック図を示している。時間−周波数変換部１０５４にはディスクリートフーリエ変換を用い、周波数−時間変換部１０５５にはディスクリート逆フーリエ変換を用いる。
【００３５】
このように、本実施の形態２に係るパルスノイズキャンセル装置１００は、ディスクリートフーリエ変換を用いることにより、フィルタバンクに比較して、より少ない演算量で高い周波数分解能を得ることができ、歪み成分抑圧部１０５２において歪み周波数成分を抑圧する際に、周波数分解能が細かいため歪み周波数成分と一緒に抑圧される歪み周波数成分以外の周波数が少なくすることができ、音質を向上させることができる。
【００３６】
尚、時間―周波数変換部１０５４においては、ディスクリートフーリエ変換の他に、時間−周波数変換としてはディスクリートハートレー変換やディスクリートコサイン変換を用いることができる。この場合は、ディスクリートフーリエ変換においては複素数演算が必要であったが、ディスクリートハートレー変換やディスクリートコサイン変換では実数演算で処理できるため回路規模が小さくなる、演算量が少なくなる等ハードウェアもしくはソフトウェアでの実現がより容易となる。
【００３７】
（実施の形態３）
次に、本発明に係るパルスノイズキャンセル装置の第三の実施の形態について図面を参照しながら説明を行う。尚、本実施の形態３に係るパルスノイズキャンセル装置は、実施の形態１に示すパルスノイズキャンセル装置の構成に加えて、補間部の出力信号からステレオ信号を再生するコンポジット信号処理部を備えることを特徴とする。
【００３８】
図５は、本実施の形態３に係るパルスノイズキャンセル装置５００の機能ブロック図である。
【００３９】
パルスノイズキャンセル装置５００は、本実施の形態３においてはＦＭ受信機のコンポジット信号を入力としたパルスノイズを除去するための装置であり、パルスノイズ検出部１０１、補間部１０２、パルスノイズ周期検出部１０３、歪み周波数推定部１０４、歪み抑圧部１０５、及びコンポジット信号処理部１０６を備えている。
【００４０】
パルスノイズ検出部１０１は、コンポジット信号を入力としてパルスノイズ発生期間を検出する。
【００４１】
補間部１０２は、パルスノイズ検出部１０１がパルスノイズを検出した期間をパルスノイズ前後の信号からパルスノイズ期間の信号を直線補間する。
【００４２】
パルスノイズ周期検出部１０３は、パルスノイズ検出部１０１でパルスノイズが検出される周期を計測する。
【００４３】
パルスノイズ検出部１０１、補間部１０２、パルスノイズ周期検出部１０３、歪み抑圧部１０５は入力信号がコンポジット信号である点のみ実施の形態１と異なるが動作は同じである。
【００４４】
歪み周波数推定部１０４は、パルスノイズ周期検出部１０３で検出されたパルスノイズ周期の短時間平均値の逆数から補間部１０２の出力信号に含まれる歪み周波数を推定し、コンポジット信号処理部１０５でコンポジット信号処理された際の歪み周波数に変換する。
【００４５】
コンポジット信号処理部１０６は、補間部１０２の出力に含まれるメイン信号、サブ信号、パイロット信号からステレオ信号を再生する。
【００４６】
歪み抑圧部１０５は、歪み周波数推定部１０４で推定した歪み周波数に従い、コンポジット信号処理部１０６の出力から歪み周波数成分を抑圧する。
【００４７】
図６は、コンポジット信号処理のスペクトルを示す参考図である。Ｌ＋Ｒ信号であるメイン信号：Ｍ、Ｌ−Ｒ信号であるサブ信号：Ｓ、１９ｋＨｚのパイロット信号の周波数上の配置を示している。
【００４８】
パルスノイズ周期の逆数である歪み周波数が１．１ｋＨｚの場合、高調波歪み周波数は１．１ｋＨｚの倍数である２．２ｋＨｚ，３．３ｋＨｚ，．．．，１５．４ｋＨｚ，．．．，３７．４ｋＨｚ，３８．５ｋＨｚ，．．．，となる。サブ信号は３８ｋＨｚを中心としてＡＭ変調されており、サブ信号をＡＭ復調するとコンポジット信号の３７．４ｋＨｚは３８−３７．４＝０．６ｋＨｚ、３８．５ｋＨｚは３８．５−３８＝０．５ｋＨｚとなる。
【００４９】
従って、歪み周波数推定部１０４では、メイン信号に関しては、パルスノイズ周期に対応した周波数の高調波、サブ信号に関しては、３８ｋＨｚとパルスノイズ周期に対応した周波数の高調波周波数の差周波数を歪み周波数として推定する。例えば、パルスノイズ周期に対応する周波数が１．１ｋＨｚの場合、歪み周波数は、メイン信号に関しては１．１ｋＨｚ，２．２ｋＨｚ，３．３ｋＨｚ，．．．，１５．４ｋＨｚ、サブ信号に関しては０．５ｋＨｚ，１．６ｋＨｚ，．．．，１５．９ｋＨｚと０．６ｋＨｚ，１．７ｋＨｚ，．．．，１６ｋＨｚとなる。
【００５０】
そして、歪み周波数推定部１０４では上記の周波数を歪み周波数として推定し、歪み抑圧部１０５で上記歪み周波数を含む帯域の信号を抑圧することにより、音質を改善することが可能となる。尚、歪み抑圧部１０５の構成は実施の形態１の図３と同様となる。
【００５１】
（実施の形態４）
次に、本発明に係るパルスノイズキャンセル装置の第四の実施の形態について図面を参照しながら説明を行う。尚、本実施の形態４に係るパルスノイズキャンセル装置は、ピーク周波数とパルスノイズ周期に基づく高調波周波数との和周波数、差周波数を混変調歪み周波数成分と推定して、高調波歪み周波数成分と混変調歪み周波数成分を抑圧することを特徴とする。尚、本実施の形態４のパルスノイズキャンセル装置の構成は、実施の形態１と同様であるために、その説明を省略する。
【００５２】
図７は、本実施の形態４に係るパルスノイズキャンセル装置の歪み抑圧部１０５の機能ブロック図を示す。
【００５３】
本実施の形態４の歪み抑圧部１０５は、図３に示す歪み抑圧部１０５の構成にピーク周波数検出部１０５６及び混変調歪み周波数推定部１０５７を付加したものであり、ピーク周波数検出部１０５６は、時間−周波数変換部１０５４の周波数データからピーク周波数を検出する。また、混変調歪み周波数推定部１０５７は、ピーク周波数検出部１０５６で検出したピーク周波数と歪み周波数推定部１０４で推定した歪み周波数から混変調歪み周波数を推定する。
【００５４】
図８は、ＬチャンネルとＲチャンネルが同じ４００Ｈｚの正弦波である場合の信号をＦＭ変調した信号に１ｍｓ周期のパルスノイズが混入した信号を受信をＦＭ復調したオーディオ再生した際の補間部１０２の出力スペクトルの１６ｋＨｚまでの帯域を示している。補間部１０２の出力信号には、パルスノイズ周期である１ｍｓに相当する周波数１ｋＨｚとその高調波と４００Ｈｚの正弦波との混変調歪み成分、すなわち１ｋＨｚ±４００Ｈｚ，２ｋＨｚ±４００Ｈｚ，．．．，１６ｋＨｚ±４００Ｈｚの歪み成分が出現する。
【００５５】
ピーク周波数検出部１０５６では、時間−周波数変換部１０５１の出力周波数データからピーク周波数である４００Ｈｚを検出し、混変調歪み周波数推定部１０５７において歪み周波数推定部１０４で推定された歪み周波数１ｋＨｚ，２ｋＨｚ，．．．，１６ｋＨｚとピーク周波数４００Ｈｚの和周波数１ｋＨｚ＋４００Ｈｚ，２ｋＨｚ＋４００Ｈｚ，．．．，１６ｋＨｚ＋４００Ｈｚ、及び差周波数１ｋＨｚ−４００Ｈｚ，２ｋＨｚ−４００Ｈｚ，．．．，１６ｋＨｚ−４００Ｈｚを混変調歪み周波数として推定する。
【００５６】
利得制御部１０５２では、歪み周波数推定部１０４及び混変調歪み周波数推定部１０５７で推定された歪み周波数に対応する周波数データを抑圧することにより、補間部１０２の出力に含まれる歪み成分を低減し、音質の改善が可能となる。
【００５７】
以上の説明のように、本実施の形態４に係るパルスノイズキャンセル装置は、時間−周波数変換部１０５１で補間部１０２の出力信号のピーク周波数を求め、パルスノイズ周期検出部１０３でパルスノイズ周期を検出し、混変調歪み周波数推定部１０５７で補間部１０２の出力信号のピーク周波数とパルスノイズ周期に基づく高調波周波数との和周波数、差周波数を混変調歪み周波数として推定する。そして、歪み抑圧部１０５は、高調波歪み周波数成分と混変調歪み周波数成分を抑圧することで、パルスノイズを補間部１０２で補間する際に発生する歪み成分を抑圧することができ、音質を改善することが可能となる。
【００５８】
尚、本実施の形態４に係る時間−周波数変換部１０５４は、実施の形態２と同様にディスクリートフーリエ変換の他に、時間−周波数変換としてはディスクリートハートレー変換やディスクリートコサイン変換を用いることができる。また、周波数−時間変換部１０５５はそれらの逆変換を用いる。
【産業上の利用可能性】
【００５９】
本発明のパルスノイズキャンセル装置は、ＡＭやＦＭ放送受信機におけるパルスノイズキャンセル装置として有用である。また、伝送経路上でパルスノイズが混入するカーラジオ等に用いるパルスノイズキャンセル装置として適応できる。
【図面の簡単な説明】
【００６０】
【図１】実施の形態１におけるパルスノイズキャンセル装置の構成を示すブロック図
【図２】実施の形態１におけるパルスノイズキャンセル装置の補間部の入出力信号スペクトル及びノイズ抑圧部の出力スペクトル図
【図３】実施の形態１におけるパルスノイズキャンセル装置の歪み抑圧部の詳細を示すブロック図
【図４】実施の形態２におけるパルスノイズキャンセル装置の歪み抑圧部の詳細を示すブロック図
【図５】実施の形態３におけるパルスノイズキャンセル装置の構成を示すブロック図
【図６】ＦＭコンポジット信号のスペクトル構成図
【図７】実施の形態４におけるパルスノイズキャンセル装置の歪み抑圧部の詳細を示すブロック図
【図８】実施の形態４におけるパルスノイズキャンセル装置の補間部の出力信号スペクトル図
【図９】従来のパルスノイズキャンセル装置の構成を示すブロック図
【符号の説明】
【００６１】
１００，５００  パルスノイズキャンセル装置
１０１  パルスノイズ検出部
１０２  補間部
１０３  パルスノイズ周期検出部
１０４  歪み周波数推定部
１０５  歪み抑圧部
１０５１  フィルタバンク部
１０５２  利得制御部
１０５３  加算部
１０５４  時間−周波数変換部
１０５５  周波数−時間変換部
１０５６  ピーク周波数検出部
１０５７  混変調歪み周波数推定部
【図１】
2006319815.tif 000003
【図２】
2006319815.tif 000004
【図３】
2006319815.tif 000005
【図４】
2006319815.tif 000006
【図５】
2006319815.tif 000007
【図６】
2006319815.tif 000008
【図７】
2006319815.tif 000009
【図８】
2006319815.tif 000010
【図９】
2006319815.tif 000011